(57)【特許請求の範囲】
【請求項１】
ラミネート金属化フィルムコンデンサの電極構造に、少なくとも二枚積層される金属化フィルムを有して、二枚隣接する上部及び下部の金属属化フィルムが、縦方向の上に、転位辺の幅を設けた転位状態に積層されて、各々金属化フィルムにそれぞれ導電の金属めっき層と絶縁の媒質層が設けられて、且つ導電の金属めっき層が絶縁の媒質層の上に設けられて、各々金属化フィルムの上に横方向に沿って少なくとも一つの金属めっき層を覆わず且つ一定の幅を有する間隙ストリップが設けられ、当間隙ストリップが金属化フィルムの残りの辺に構成されることにおいて、各々金属化フィルムの上に、ラミネート金属化フィルムキャパシタンスコアの切断面に沿う、金属めっき層を覆わず且つ一定の幅を有する、複数の曲線型の間隙ストリップも設けられ、隣接する金属めっき層部が一部または全部に分離されて、当曲線型の間隙ストリップの真ん中に凹部の形状が成形され、凹部の両側に転位で分布する肩形が構成され、凹部の開口部を反対する方向に凸部が形成されて、隣接する二本の曲線型の間隙ストリップの中に、そのうち、少なくとも一本の曲線型の間隙ストリップの最も凸部の端部がもう一本の曲線型の間隙ストリップの凹部の中に進入されるようにすることを特徴とするラミネート金属化フィルムコンデンサの電極構造。
【請求項２】
前記隣接する上部及び下部の二本の金属化フィルムの曲線型の間隙ストリップの凹部の形状には、凹部の開口部が同一方向又は異なる方向に開けられるようにすることを特徴とする請求項１に記載のラミネート金属化フィルムコンデンサの電極構造。
【請求項３】
前記隣接する上部及び下部の二本の金属化フィルムには、上部の金属化フィルムの金属めっき層が第一電極に接続され、下部の金属化フィルムの金属めっき層が第二電極に接続され、切断面の上で第一電極と第二電極との間に所定の距離が設けられるようにすることを特徴とする請求項１に記載のラミネート金属化フィルムコンデンサの電極構造。
【請求項４】
各々曲線型の間隙ストリップが等しい幅または等しくない幅に設けられ、各曲線型の間隙ストリップの幅が０．１ｍｍに等しく、または０．１ｍｍより大きいようにすることを特徴とする請求項１に記載のラミネート金属化フィルムコンデンサの電極構造。
【請求項５】
前記曲線型の間隙ストリップが次第に一体接続される第一曲線型の間隙ストリップと第二曲線型の間隙ストリップと第三曲線型の間隙ストリップと第四曲線型の間隙ストリップによって構成されるようにすることを特徴とする請求項１に記載のラミネート金属化フィルムコンデンサの電極構造。
【請求項６】
前記曲線型の間隙ストリップがラミネート金属化フィルムキャパシタンスコアの切断面の方向に沿って設置され、切断面と縦方向が所定の角度に構成され、切断面及び前記曲線型の間隙ストリップに対して、当所定の角度を逆ねじった後、切断面と縦方向が一致する場合、前記第一曲線型の間隙ストリップと第二曲線型の間隙ストリップと第三曲線型の間隙ストリップと第四曲線型の間隙ストリップが次の条件に満足されて、第四曲線型の間隙ストリップが曲線型の間隙ストリップ中の一つのプリセット部から金属化フィルムの残りの辺までの曲線部によって構成され、第二曲線型の間隙ストリップが第四曲線型の間隙ストリップを除いた曲線型の間隙ストリップ部の最も左側端部から最も右側端部までの曲線部によって構成されて、凹部の開口を左側に向いて開く場合、第一曲線型の間隙ストリップが第四曲線型の間隙ストリップを除いた曲線型の間隙ストリップ部の一端部から当曲線型の間隙ストリップ部の最も左側端部までの曲線部によって構成され、第三曲線型の間隙ストリップが第四曲線型の間隙ストリップを除いた曲線型の間隙ストリップ部の最も右側端部から前記曲線型の間隙ストリップ中のプリセット部までの曲線部によって構成されて、凹部の開口を右側に向いて開く場合、第一曲線型の間隙ストリップが第四曲線型の間隙ストリップを除いた曲線型の間隙ストリップ部の一端部から当曲線型の間隙ストリップ部の最も右側端部までの曲線部によって構成され、第三曲線型の間隙ストリップが第四曲線型の間隙ストリップを除いた曲線型の間隙ストリップ部の最も左側端部から前記曲線型の間隙ストリップ中のプリセット部までの曲線部によって構成されるようにすることを特徴とする請求項５に記載のラミネート金属化フィルムコンデンサの電極構造。
【請求項７】
隣接する上部及び下部の二本の金属化フィルムの中、上部の金属化フィルムのフィルム幅がｂ１に設定され、当上部の金属化フィルム上のプリセット部からその残りの辺のフィルムのエッジまでの距離がｂ１１に設定され、当上部の金属化フィルムが下部の金属化フィルムに相対される転位辺の幅がｂ１２に設定されて、下部の金属化フィルムのフィルム幅がｂ２に設定され、当下部の金属化フィルム上のプリセット部からその残りの辺のフィルムのエッジまでの距離がｂ２１に設定され、当下部の金属化フィルムが上部の金属化フィルムに相対される転位辺の幅がｂ２２に設定されて、それらの間に以下の式を満たすべきであり、即ち
ｂ１１＋ｂ１２＋ｂ２１＞ｂ１
ｂ２１＋ｂ２２＋ｂ１１＞ｂ２
があって、前記隣接の二本の上部及び下部の金属化フィルムのフィルム幅が一致されると、転位辺の幅も相等されて、且つプリセット部から残りの辺のフィルムのエッジまでの距離も相等される同時に、
ｂ１＝ｂ２、ｂ１２＝ｂ２２、ｂ１１＝ｂ２１
ｂ１１＞［ｂ１−ｂ１２］／２
ｂ２１＞［ｂ２−ｂ２２］／２
があるようにすることを特徴とする請求項６に記載のラミネート金属化フィルムコンデンサの電極構造。
【請求項８】
前記第一曲線型の間隙ストリップの一端が第二曲線型の間隙ストリップに連接され、第一曲線型の間隙ストリップのもう一端が金属化フィルムのエッジに通り出されて又は金属化フィルムのエッジの間に既定の距離が設けられて、当既定の距離が０ｍｍに等しくてまたは０ｍｍより大きく、第一曲線型の間隙ストリップの長さが０ｍｍに等しくてまたは０ｍｍより大きいようにすることを特徴とする請求項６に記載のラミネート金属化フィルムコンデンサの電極構造。
【請求項９】
前記隣接の二本の曲線型の間隙ストリップの中に、凹部の開口方向をどんなにしても、右側の曲線型の間隙ストリップに第四曲線型の間隙ストリップを除かせた曲線型の間隙ストリップ部の最も左側端部が左側の曲線型の間隙ストリップの第四曲線型の間隙ストリップ上のプリセット部の右側端部に平められて、または、右側の曲線型の間隙ストリップに第四曲線型の間隙ストリップを除かせた曲線型の間隙ストリップ部の最も左側端部が左側の曲線型の間隙ストリップの第四曲線型の間隙ストリップ上のプリセット部の右側端部の左側に位置されて、凹部の開口方向をどんなにしても、左側の曲線型の間隙ストリップに第四曲線型の間隙ストリップを除かせた曲線型の間隙ストリップ部の最も右側端部が右側の曲線型の間隙ストリップの第四曲線型の間隙ストリップ上のプリセット部の左側端部に平められて、または、左側の曲線型の間隙ストリップに第四曲線型の間隙ストリップを除かせた曲線型の間隙ストリップ部の最も右側端部が右側の曲線型の間隙ストリップの第四曲線型の間隙ストリップ上のプリセット部の左側端部の右側に位置されるようにすることを特徴とする請求項６に記載のラミネート金属化フィルムコンデンサの電極構造。
【請求項１０】
前記第四曲線型の間隙ストリップの一端が第三曲線型の間隙ストリップに連接され、前記第四曲線型の間隙ストリップのもう一端が金属化フィルムの残りの辺に連接されて、凹部の開口方向をどんなにしても、隣接する左側及び右側の二本の第四曲線型の間隙ストリップの間にある金属めっき層の最も右側端と、第四曲線型の間隙ストリップを除いた曲線型の間隙ストリップ部の最も右側端部が平められて、または、二本隣接する左側及び右側の第四曲線型の間隙ストリップの間にある金属めっき層の最も右側端が、左側の曲線型の間隙ストリップに第四曲線型の間隙ストリップを除かせた曲線型の間隙ストリップ部の最も右側端の左側に位置されて、凹部の開口方向をどんなにしても、隣接する左側及び右側の第四曲線型の間隙ストリップの間にある金属めっき層の最も左側端と、第四曲線型の間隙ストリップを除いた曲線型の間隙ストリップ部の最も左側端部が平められて、または、二本隣接する左側及び右側の第四曲線型の間隙ストリップの間にある金属めっき層の最も左側端が、右側の曲線型の間隙ストリップに第四曲線型の間隙ストリップを除かせた曲線型の間隙ストリップ部の最も左側端の右側に位置されるようにすることを特徴とする請求項６に記載のラミネート金属化フィルムコンデンサの電極構造。
【発明の詳細な説明】
【技術分野】
【０００１】
本発明は電子部品に関し、特にラミネート金属化フィルムコンデンサの電極構造に関する。
【背景技術】
【０００２】
フィルムコンデンサはコンデンサの一種類である。それは一つの優れた性能を持つコンデンサである。その主な特性は次のように、無極性、絶縁インピーダンスが高く、週波数特性が優れ、（広い週波数応答性）、そして媒質の損失が小さい。フィルムコンデンサは小型且つ容量が大きいため、比較的な幅広い用途があり、異なるシリーズの製品を形成することができる。例えば、高エネルギー蓄積コンデンサ、反電磁妨害コンデンサ、放射抵抗コンデンサ、安全フィルムコンデンサ、長寿命コンデンサ、高信頼性のコンデンサ、高電圧全膜コンデンサなどがある。
【０００３】
フィルムコンデンサの一種類の構造には、金属化フィルムを利用して製造している。金属化フィルムは真空蒸着でプラスチックフィルムの上に薄い金属層をめっきすることから構成している。当金属層は電極として利用する。
【０００４】
従来技術で、二枚以上の金属化フィルムと（または）複数のフィルム用の巻取装置で一つのキャパシタンスコアを巻き取っためす巻に、金を吹き付ける加工などの工程後、カッタで一つ一つのラミネートコンデンサコアにカットして、更にラミネートキャパシタンスコアでコンデンサコアに製造している。このラミネート金属化フィルムコンデンサに一つの欠陥がある。即ちキャパシタンスコアの切断面の位置には、違う電位の金属化電極間の絶縁距離がただ電極の間にある媒質の厚さに相当され、数ミクロンから数十ミクロンまでの厚さであり、切断面のコーティング材料に依存することによって絶縁して耐圧力を確保するが、この切断面が受ける耐圧力は高すぎない。
【発明の概要】
【発明が解決しようとする課題】
【０００５】
本発明の目的は既存技術の不足を克服するために、ラミネート金属化フィルムコンデンサの電極構造を提供して、電極構造につく特別な設計によって、キャパシタンスコアの切断面から絶縁部上の異なる電位の金属電極間の静電容量を増加させ、ラミネート金属化フィルムコンデンサコアの切断面に耐圧力を向上させることができる。
【課題を解決するための手段】
【０００６】
発明が課題を解決しようとする手段では、ラミネート金属化フィルムコンデンサの電極構造に、少なくとも二枚積層された金属化フィルムを有して、二枚隣接する上部及び下部の金属属化フィルムが縦方向にすなわち垂直のフィルムのエッジ方向の上に転位辺の幅を設けた転位状態に積層されて、各々金属化フィルムにそれぞれ導電の金属めっき層と絶縁の媒質層が設けられ、且つ導電の金属めっき層が絶縁の媒質層の上に設けられて、各々金属化フィルムの上に横方向に沿って少なくとも一つの金属めっき層を覆わず且つ一定の幅を有する間隙ストリップが設けられ、当間隙ストリップが金属化フィルムの残りの辺に構成される。
【０００７】
各々金属化フィルムの上にラミネート金属化フィルムキャパシタンスコアの切断面に沿う複数の金属めっき層を覆わず且つ一定の幅を有する曲線型の間隙ストリップも設けられ、隣接する金属めっき層部が一部または全部に分離されて、当曲線型の間隙ストリップの真ん中に凹部の形状が成形され、凹部の両側に転位で分布する肩形が構成され、凹部の開口部の反対方向に凸部が形成されて、隣接する二本の曲線型の間隙ストリップの中に、そのうち、少なくとも一本の曲線型の間隙ストリップの最も凸部の端部がもう一本の曲線型の間隙ストリップの凹部の中に進入される。
【０００８】
前記隣接する上部及び下部の二本の金属化フィルムの曲線型の間隙ストリップの凹部の形状には、凹部の開口部が同一方向又は異なる方向に向いて開き、即ち、凹部が同一方向又は異なる方向に向いて開くことができる。
【０００９】
前記隣接する上部及び下部の二本の金属化フィルムには、上部の金属化フィルムの金属めっき層が第一電極に接続され、下部の金属化フィルムの金属めっき層が第二電極に接続され、切断面の上で第一電極と第二電極との間に所定の距離が設けられる。
【００１０】
各々曲線型の間隙ストリップが等しい幅または等しくない幅に設けられ、各曲線型の間隙ストリップの幅が０．１ミリメートルに等しく、または０．１ミリメートルより大きく、即ち、曲線型の間隙ストリップが同じ幅も異なる幅もできると同時に、幅が０．１ミリメートルに等しく、または０．１ミリメートルより大きい。
【００１１】
前記曲線型の間隙ストリップが次第に一体接続される第一曲線型の間隙ストリップと第二曲線型の間隙ストリップと第三曲線型の間隙ストリップと第四曲線型の間隙ストリップによって構成される。
【００１２】
前記曲線型の間隙ストリップがラミネート金属化フィルムキャパシタンスコアの切断面の方向に沿って設置され、切断面と縦方向が所定の角度に構成され、切断面と縦方向が一致すると、所定の角度が零度に設けられて、切断面及び前記曲線型の間隙ストリップに対して、当所定の角度を逆ねじった後、切断面と縦方向が一致される場合、前記第一曲線型の間隙ストリップと第二曲線型の間隙ストリップと第三曲線型の間隙ストリップと第四曲線型の間隙ストリップが次の条件を満たす。
【００１３】
第四曲線型の間隙ストリップが曲線型の間隙ストリップ中の一つのプリセット部から金属化フィルムの残りの辺までの曲線部によって構成され、第二曲線型の間隙ストリップが第四曲線型の間隙ストリップを除いた曲線型の間隙ストリップ部の最も左側の端部から最も右側の端部までの曲線部によって構成される。
【発明の効果】
【００１４】
本発明の有益な効果は次のように、各々金属化フィルムの上にラミネート金属化フィルムキャパシタンスコアの切断面に沿う複数の金属めっき層を覆わず且つ一定の幅を有する曲線型の間隙ストリップも設けられることによって、隣接する金属めっき層部が一部または全部に分離されて、当曲線型の間隙ストリップの真ん中に凹部の形状が成形され、凹部の両側に転位で分布する肩形が構成され、隣接する二本の曲線型の間隙ストリップの中に、そのうち、少なくとも一本の曲線型の間隙ストリップの最も凸部の端部がもう一本の曲線型の間隙ストリップの凹部の中に進入される。当電極構造で、キャパシタンスコアの切断面から絶縁部上の異なる電位の金属電極間の静電容量を増加させ、ラミネート金属化フィルムコンデンサコアの切断面に耐圧力を向上させることができる。
【図面の簡単な説明】
【００１５】
【図１】実施例１の本発明の上部及び下部の金属化フィルムが分離される状態を示す図である。
【図２】実施例１の本発明の上部及び下部の金属化フィルムが積層される状態を示す正面図である。
【図３】実施例１の本発明の上部及び下部の金属化フィルムが積層される状態を示す左側の断面図である。
【図４】実施例１の本発明の上部及び下部の金属化フィルムが積層される状態を示す右側の断面図である。
【図５】実施例１の本発明の上部の金属化フィルムを示す図である。
【図６】実施例１の本発明の曲線型の間隙ストリップの構造を示す図である。
【図７】実施例１の本発明の下部の金属化フィルムを示す図である。
【図８】実施例１の本発明の１枚の金属化フィルム（断面と縦方向で形成される既定の角度）を示す図である。
【図９】実施例２の本発明の１枚の金属化フィルムを示す図である。
【図１０】実施例３の本発明の上部及び下部の金属化フィルムが分離される状態を示す図である。
【図１１】実施例３の本発明の上部及び下部の金属化フィルムが積層される状態を示す断面図である。
【発明を実施するための形態】
【００１６】
以下、図面及び本発明の実施形態がさらに詳細に記載されている。しかし、本発明のミネート金属化フィルムコンデンサの電極構造は実施形態に限定されるものでない。
【実施例１】
【００１７】
図１から図７にいたるまでのように、本発明のミネート金属化フィルムコンデンサの電極構造には、少なくとも二枚積層された金属化フィルムを有して、縦方向の上に二枚隣接する上部及び下部の金属属化フィルムが積層されている転位辺の幅を有す転位状態に成形されて、上部及び下部の金属化フィルムの幅が相当され、上部の金属化フィルム１及び下部の金属化フィルム２が積層されてから、既定の転位辺の幅ｂ１２が設けられて、各々金属化フィルムにそれぞれ導電の金属めっき層と絶縁の媒質層が設けられて、且つ導電の金属めっき層が絶縁の媒質層の上に設けられて、上部の金属化フィルム１に導電の金属めっき層１０と絶縁の媒質層１００が設けられ、導電の金属めっき層１０が絶縁の媒質層１００の上に設けられ、下部の金属化フィルム２に導電の金属めっき層２０と絶縁の媒質層２００が設けられ、導電の金属めっき層２０が絶縁の媒質層２００の上に設けられて、各々金属化フィルムの上に横方向に沿って少なくとも一本の金属めっき層を覆わず且つ一定の幅を有する間隙ストリップが設けられ、当間隙ストリップが金属化フィルムの残りの辺に構成され、上部の金属化フィルム１に残りの辺１０１が設けられ、下部の金属化フィルム２に残りの辺２０１が設けられる。
【００１８】
各々金属化フィルムの上に縦方向に沿う複数の金属めっき層を覆わず且つ一定の幅を有する曲線型の間隙ストリップも設けられ、隣接する金属めっき層部が一部または全部に分離されて、上部の金属化フィルム１の上に縦方向に沿う複数の金属めっき層を覆わず且つ一定の幅を有する曲線型の間隙ストリップ１５も設けられ、隣接する金属めっき層部が一部または全部に分離されて、上部の金属化フィルム１の上に複数の曲線型の間隙ストリップ１５がグリッド曲線に成形され、下部の金属化フィルム２の上に縦方向に沿う複数の金属めっき層を覆わず且つ一定の幅を有する曲線型の間隙ストリップ２５も設けられ、隣接する金属めっき層部が一部または全部に分離され、下部の金属化フィルム２の上に複数の曲線型の間隙ストリップ２５がグリッド曲線に成形される。
【００１９】
上部の金属化フィルム１を例として、図５及び図６を見ながら、当曲線型の間隙ストリップ１５の真ん中から傍側に向く部分が凹部１５１の形状に曲げて成形されて、且つ、当凹部の開口部が右側に開き、凹部１５１の両側に転位で分布する肩形が構成されて、左側及び右側に隣接する二本の曲線型の間隙ストリップの中に、右側の曲線型の間隙ストリップの最も凸部の端部Ｂが少なくとも左側の曲線型の間隙ストリップの凹部１５１の中に進入される。
【００２０】
前記曲線型の間隙ストリップの幅が０．１ミリメートルに等しく、または０．１ミリメートルより大きく、各々曲線型の間隙ストリップが等しい幅または等しくない幅にも設けられ、本実施形態の中、各々曲線型の間隙ストリップの幅が相等される。
【００２１】
前記曲線型の間隙ストリップ１５が次第に一体連接される第一曲線型の間隙ストリップＬ１と、第二曲線型の間隙ストリップＬ２と、第三曲線型の間隙ストリップＬ３と、第四曲線型の間隙ストリップＬ４によって構成されて、その中、第四曲線型の間隙ストリップＬ４が曲線型の間隙ストリップ中の一つのプリセット部Ｅから金属化フィルムの残りの辺までの曲線部によって構成され、第二曲線型の間隙ストリップＬ２が第四曲線型の間隙ストリップを除いた曲線型の間隙ストリップ部の最も左側端部から最も右側端部までの曲線部によって構成され、即ち、第二曲線型の間隙ストリップＬ２が曲線型の間隙ストリップの最も右側端部Ａから曲線型の間隙ストリップの最も左側端部Ｂまでの曲線部によって構成される。
【００２２】
本実施形態の上部の金属化フィルム１の凹部が右側に開くことを利用するので、第一曲線型の間隙ストリップＬ１が第四曲線型の間隙ストリップを除いた曲線型の間隙ストリップ部の一端部から当曲線型の間隙ストリップ部の最も右側端部Ａまでの曲線部によって構成され、第三曲線型の間隙ストリップＬ３が第四曲線型の間隙ストリップを除いた曲線型の間隙ストリップ部の最も左側端部Ｂから前記曲線型の間隙ストリップ中のプリセット部までの曲線部によって構成される。
【００２３】
隣接の上部及び下部の金属化フィルムの中、上部の金属化フィルム１のフィルム幅がｂ１に設定され、当上部の金属化フィルム１上のプリセット部からその残りの辺のフィルムのエッジまでの距離がｂ１１に設定され、当上部の金属化フィルム１が下部の金属化フィルム２に相対される残りの辺幅がｂ１２に設定されて、下部の金属化フィルム２のフィルム幅がｂ２に設定され、当下部の金属化フィルム２上のプリセット部からその残りの辺のフィルムのエッジまでの距離がｂ２１に設定され、当下部の金属化フィルム２が上部の金属化フィルム１に相対される残りの辺幅がｂ２２に設定されて、それらの間に以下の式を満たすべきである。
ｂ１１＋ｂ１２＋ｂ２１＞ｂ１
ｂ２１＋ｂ２２＋ｂ１１＞ｂ２
【００２４】
本実施形態では、前記隣接の上部及び下部の金属化フィルムのフィルム幅が一致されるので、転位部の幅が相等されて、且つプリセット部から残りの辺のフィルムのエッジまでの距離も相等されて、それで、以下の式がある。
ｂ１＝ｂ２、ｂ１２＝ｂ２２、ｂ１１＝ｂ２１
ｂ１１＞［ｂ１−ｂ１２］／２
ｂ２１＞［ｂ２−ｂ２２］／２
【００２５】
前記第一曲線型の間隙ストリップＬ１の一端が第二曲線型の間隙ストリップＬ２に連接され、第一曲線型の間隙ストリップＬ１のもう一端が金属化フィルムのエッジに通り出されて又は金属化フィルムのエッジとの間に既定の距離が設けられる。本実施形態の中では、第一曲線型の間隙ストリップＬ１のもう一端が金属化フィルムのエッジに既定の距離ｂ１３が設けられて、もちろん、ほかの設計もでき、即ち、第一曲線型の間隙ストリップＬ１のもう一端が金属化フィルムのエッジに通り出され、ｂ１３≧０に相当して設定される。
【００２６】
第一曲線型の間隙ストリップＬ１の長さが０ｍｍに等しくてまたは０ｍｍより大きいことに設けられる。
【００２７】
第四曲線型の間隙ストリップＬ４上のプリセット部の左側端部がＣに設定され、第四曲線型の間隙ストリップＬ４上のプリセット部の右側端部がＤに設定される。
【００２８】
前記隣接の二本の曲線型の間隙ストリップの中に、図５を示すように、第四曲線型の間隙ストリップを右側の曲線型の間隙ストリップに除かせた曲線型の間隙ストリップ部の最も左側端部Ｂ２が、左側の曲線型の間隙ストリップの第四曲線型の間隙ストリップ上のプリセット部の右側端部Ｄ１の左側に位置され、もちろん、右側の曲線型の間隙ストリップに第四曲線型の間隙ストリップを除かせた曲線型の間隙ストリップ部の最も左側端部Ｂ２も、左側の曲線型の間隙ストリップの第四曲線型の間隙ストリップ上のプリセット部の右側端部Ｄ１に互いにきちんと相等され、ｂ１４≧０に相当して設けられる。
【００２９】
前記隣接する二本の曲線型の間隙ストリップの中に、図５を示すように、隣接する左側及び右側の第四曲線型の間隙ストリップの間に位置する金属めっき層の最も右側部Ｃ３が、左側の曲線型の間隙ストリップに第四曲線型の間隙ストリップを除かせた曲線型の間隙ストリップ部の最も右側端部Ａ２の左側に設置され、もちろん、隣接する左側及び右側の第四曲線型の間隙ストリップの間に位置する金属めっき層の最も右側部Ｃ３も、左側の曲線型の間隙ストリップに第四曲線型の間隙ストリップを除かせた曲線型の間隙ストリップ部の最も右側端部Ａ２に互いにきちんと相等され、ｂ１５≧０に相当して設けられる。
【００３０】
前記第四曲線型の間隙ストリップＬ４の一端が第三曲線型の間隙ストリップＬ３に連接され、第四曲線型の間隙ストリップＬ４のもう一端が金属化フィルムの残りの辺１０１に連接される。本実施形態の中、第四曲線型の間隙ストリップＬ４がフィルムエッジに垂直される直線部に設けられる。
【００３１】
隣接のグリッド曲線（即ち曲線型の間隙ストリップ）の位置関係について、ｂ１６が曲線の幅に設けられ、ｂ１７がグリッド曲線の間の距離に設けられる。ｂ１６≧０．１ｍｍ、ｂ１７に対して異なる距離もできるが、隣接の曲線はｂ１４≧０及びｂ１５≧０を満たすべきである。
【００３２】
隣接する上部及び下部の金属化フィルムについて、上部の金属化フィルム１の金属めっき層が第一電極に接続され、下部の金属化フィルム２の金属めっき層が第二電極に接続される。
【００３３】
左断面部で、金属めっき層１．１と金属めっき層１．２と金属めっき層１．３が第一電極に接続され、金属めっき層１．４が第一電極に接続されない。金属めっき層２．１と金属めっき層２．２と金属めっき層２．３が第二電極に接続され、金属めっき層２．４が第二電極に接続されない。
【００３４】
右断面部で、金属めっき層１．５が第一電極に接続され、金属めっき層１．６と金属めっき層１．７と金属めっき層１．８が第一電極に接続されない。金属めっき層２．５が第二電極に接続され、金属めっき層２．６と金属めっき層２．７と金属めっき層２．８が第二電極に接続されない。
【００３５】
断面の上で、少なくとも残りの辺に近い金属めっき層（１．４、１．８、２．４、２．８）が電極に接続されない。ｂ１８≧ｂ１１、ｂ１９≧ｂ１１、ｂ２８≧ｂ２１、ｂ２９≧ｂ２１。
【００３６】
断面の上で、第一電極と第二電極との最も短い絶縁距離がｂ３１とｂ３２に設けられる。
【００３７】
上部及び下部の金属化フィルムが同一に設けられ、プリセット部Ｅが同一に設けられる。ｂ１＝ｂ２、ｂ１２＝ｂ２２、ｂ１１＝ｂ２１。それで
ｂ３１＝ｂ１８＋ｂ２８＋ｂ１２−ｂ１
ｂ３２＝ｂ１９＋ｂ２９＋ｂ１２−ｂ１
に設けられる。
【００３８】
ｂ１＝ｂ２、ｂ１２＝ｂ２２、ｂ１１＝ｂ２１、ｂ１８≧ｂ１１、ｂ１９≧ｂ１１、ｂ２８≧、ｂ２９≧ｂ２１から
ｂ３１≧２ｂ１１＋ｂ１２−ｂ１
ｂ３２≧２ｂ１１＋ｂ１２−ｂ１
を得る。
【００３９】
プリセット部Ｅの場合、ｂ１１＞（ｂ１−ｂ１２）／２、したがって、ｂ３１＞０、ｂ３２＞０。
【００４０】
断面の上で、第一電極と第二電極との最も短い絶縁距離がｂ３１とｂ３２に設けられる。設計によって、ｂ３１とｂ３２が電極間の媒質の厚さによりもっと大きく、耐圧力と絶縁距離が正比例されるので、ラミネート金属化フィルムキャパシタンスコアの切断面に耐圧力を向上させることができる。
【００４１】
本実施例の金属化フィルム２について、図７を示すように、業界の慣行に従って、一枚の金属化フィルムに対して、残りの辺が底側に設けられる場合、当金属化フィルム２の凹部の開口方向が左側に向いて開けて、図７中のｂ２４と図５中のｂ１４との条件が相等され、図７中のｂ２５と図五中とのｂ１５の条件が相等される。
【００４２】
本実施例の中に、ラミネート金属化フィルムキャパシタンスコアの断面の方向が縦方向に一致され、即ち、既定の角度が零度に設けられ、曲線型の間隙ストリップが縦方向に沿って設置される。もちろん、曲線型の間隙ストリップも縦方向にずれる一つの既定の角度に沿って設置される。この場合、ラミネート金属化フィルムキャパシタンスコアの断面の方向と縦方向が一つの角度に構成されて、それで、すべての曲線型の間隙ストリップがみんな縦方向と一つの角度に構成され（図８のように）、図８中、当角度を逆にねじれてから、金属化フィルム１の曲線型の間隙ストリップ５５が図５のように、縦方向に沿って設置される場合の条件に適合され、この構造が縦方向にずれる当角度の断面に位置され、第一電極と第二電極との間に同じように一つの既定の距離が存在されて、ｂ５が金属化フィルム１のフィルム幅に設けられ、当金属化フィルム５上のプリセット部Ｅが残りの辺５０１までのフィルムエッジの距離がｂ５１に設けられる。
【実施例２】
【００４３】
図９に示すように、本発明のラミネート金属化フィルムコンデンサの電極構造について、実施例１に違うところにおいて、グリッド曲線との間にほかの電極構造６１が追加されることによって、製品の性能を向上させるようにする。
【実施例３】
【００４４】
図１０と図１１を示すように、本発明のラミネート金属化フィルムコンデンサの電極構造では、複数のラミネート金属化フィルムコンデンサに対して、同じような電極構造も利用されることによって、ラミネート金属化フィルムキャパシタンスコアの切断面に耐圧力を向上させる。
【００４５】
当実施例中、上部の金属化フィルム３に導電の金属めっき層３０と絶縁の媒質層３００を有し、導電の金属めっき層３０が絶縁の媒質層３００の上に設置され、下部の金属化フィルム４に導電の金属めっき層４０と絶縁の媒質層４００を有し、導電の金属めっき層４０が絶縁の媒質層４００の上に設置されて、上部の金属化フィルム３の中間に縦方向の間隙ストリップ３１が設けられ、両側に複数の実施例１のような前記曲線型の間隙ストリップ３２がそれぞれ設けられ、下部の金属化フィルム４の両側に縦方向の間隙ストリップ４１が設けられ、中間に、複数の実施例１のような前記曲線型の間隙ストリップ４２を二本に連接する、曲線型の間隙ストリップを有す。
【産業上の利用可能性】
【００４６】
本発明の構造によって、キャパシタンスコアの切断面に異なる電位の金属化電極との間の絶縁距離を増加させ、ラミネート金属化フィルムキャパシタンスコアの切断面に耐圧力を向上させることができる。
【００４７】
以上で述べたのはわずか本発明のラミネート金属化フィルムコンデンサの電極構造だけである。しかし、本発明のデザインアイディアはこれに限定されるものではなく、すなわち、本発明のアイディアに基づいて変形させることが可能であり、それらは本考案の範囲から排除するものではない。
【符号の説明】
【００４８】
１  上部の金属化フィルム
２  下部の金属化フィルム
３  上部の金属化フィルム
４  下部の金属化フィルム
５  金属化フィルム
１０  導電の金属めっき層
１５  曲線型の間隙ストリップ
２０  導電の金属めっき層
２５  曲線型の間隙ストリップ
３０  導電の金属めっき層
３１  縦方向の間隙ストリップ
３２  曲線型の間隙ストリップ
４０  導電の金属めっき層
４１  縦方向の間隙ストリップ
４２  曲線型の間隙ストリップ
５５  曲線型の間隙ストリップ
１００  絶縁の媒質層
１０１  残りの辺
１５１  凹部
２００  絶縁の媒質層
２０１  残りの辺
３００  絶縁の媒質層
４００  絶縁の媒質層
５０１  残りの辺
Ｌ１  第一曲線型の間隙ストリップ
Ｌ２  第二曲線型の間隙ストリップ
Ｌ３  第三曲線型の間隙ストリップ
Ｌ４  第四曲線型の間隙ストリップ
【図１】
0005984097.tif 000002
【図２】
0005984097.tif 000003
【図３】
0005984097.tif 000004
【図４】
0005984097.tif 000005
【図５】
0005984097.tif 000006
【図６】
0005984097.tif 000007
【図７】
0005984097.tif 000008
【図８】
0005984097.tif 000009
【図９】
0005984097.tif 000010
【図１０】
0005984097.tif 000011
【図１１】
0005984097.tif 000012